(57)【要約】【課題】所望の周波数帯域（ＩＳＭ2.4帯域等）の狭帯域幅で信号をバンドパスフィルタリングするための狭帯域幅バンドパスフィルタネットワーク及び方法を提供すること。【解決手段】信号をバンドパスフィルタリングするためのバンドパスフィルタネットワーク及び方法は複数の音響共振器を使用する。該音響共振器は、フィルムバルク音響共振器（ＦＢＡＲ）又は表面弾性波（ＳＡＷ）共振器とすることが可能である。該音響共振器は、１つ又は２つ以上の電気的な構成要素（例えば１つの増幅器の複数のトランジスタ）により分離されて、該複数の音響共振器間の隔離が提供される。【選択図】図２
2006345533.tif 000002
【特許請求の範囲】
【請求項１】
入力信号を受信するための入力ノード(28;56)と、
出力信号を送信するための出力ノード(30;58)と、
前記入力ノードに接続された第１の音響共振器(12,14,16;46,48,50)と、
前記出力ノードに接続された第２の音響共振器(14,16,18;48,50,52)と、
前記第１及び第２の音響共振器間に配置されて、該第１及び第２の音響共振器間の隔離を提供する、電気的な構成要素(20,22,24;66,68,80)と
を含む、バンドパスフィルタネットワーク。
【請求項２】
前記第１及び第２の音響共振器(12,14,16,18;46,48,50,52)の少なくとも一方が、フィルムバルク音響共振器（ＦＢＡＲ）及び表面弾性波（ＳＡＷ）共振器の一方である、請求項１に記載のネットワーク。
【請求項３】
前記電気的な構成要素(20,22,24;66,68,80)が、増幅器(44)の構成要素(66,68,80)である、請求項１又は請求項２に記載のネットワーク
【請求項４】
前記電気的な構成要素(20,22,24;66,68,80)が、増幅器(44)のトランジスタ(66,68,80)である、請求項３に記載のネットワーク
【請求項５】
前記電気的な構成要素(20,22,24;66,68,80)が、ＭＯＳ（Metal Oxide Semiconductor）トランジスタ(66,68,80)である、請求項４に記載のネットワーク。
【請求項６】
前記第１及び第２の音響共振器(12,14,16,18;46,48,50,52)の少なくとも一方が、信号経路(32)に対して直列音響共振器として接続される、請求項１ないし請求項５の何れか一項に記載のネットワーク。
【請求項７】
前記第１及び第２の音響共振器(12,14,16,18;46,48,50,52)の少なくとも一方が、分路音響共振器として接続される、請求項１ないし請求項６の何れか一項に記載のネットワーク。
【請求項８】
信号を受信し(602)、
該信号を第１及び第２の音響共振器(12,14,16,18;46,48,50,52)に提供し(604)、
前記第１及び第２の音響共振器間に配置されて該第１及び第２の音響共振器間の隔離を提供する電気的な構成要素(20,22,24;66,68,80)を介して前記信号を送信する(606)、
という各ステップを含む、信号をバンドパスフィルタリングするための方法。
【請求項９】
第１及び第２の音響共振器に信号を提供する前記ステップ(604)が、第１及び第２のフィルムバルク音響共振器（ＦＢＡＲ）(12,14,16,18;46,48,50,52)に信号を提供するステップを含む、請求項８に記載の方法。
【請求項１０】
電気的な構成要素を介して信号を送信する前記ステップ(608)が、増幅器(44)のトランジスタ(66,68,80)を介して信号を送信するステップを含む、請求項８又は請求項９に記載の方法。
【発明の詳細な説明】
【技術分野】
【０００１】
本発明は、狭帯域幅バンドパスフィルタネットワークに関するものである。
【背景技術】
【０００２】
無線通信装置、特に工業的、科学的、及び医療的な（ＩＳＭ）帯域で動作する無線通信装置で使用するための極めて狭い帯域幅のバンドパスフィルタが必要とされている。特にＩＳＭ2.4帯域は、電子レンジで次第に一杯になり無線装置と競合しつつある。電子レンジ及びその他の無線装置からの余計な信号は、受信器の入力を飽和させることによって、必要な信号の正しい受信を妨害するものとなる。かかる妨害は、受信器の線形性を増大させることにより管理することができるが、これにはより多くの電流が必要となる。線形性の高い受信器は、小さい必要とされる信号並びに大きな不要な干渉を歪みを伴うことなく増幅し得るものとなる。この高線形性の受信器は、不要な信号に一層感応するものとなる。しかし、この解決策はバッテリー駆動式の無線通信装置には望ましくない。余分な電流によりバッテリー寿命が短縮されるからである。バッテリー駆動式の無線通信装置のためのより良い解決策は、バンドパスフィルタを使用して不要な信号の大半を除去することであり、これにより一層電力効率の良い動作が可能となり、バッテリー寿命が延びることになる。
【０００３】
残念なことに、従来のアクティブフィルタは、これら周波数における狭帯域動作が可能な周波数応答を有していない。フィルタ動作が遙かに低い周波数で行われるように信号をダウンコンバートした後にアクティブフィルタを使用するのが一般的である。このため、アンテナとダウンコンバータを含む該コンバータまでとの間の電子機器（「フロントエンド」としても知られるもの）は不要な干渉の影響を受けやすいままとなる。この場合の解決策は、該フロントエンドへのバイアス電流を増大することにあるが、これはバッテリー寿命を犠牲にするものである。
【０００４】
また、現在利用可能なＩＳＭ2.4帯域のパッシブフィルタは、該フロントエンドの帯域幅を縮小させる能力を有するものではない。バッテリー駆動式の無線通信装置は好適には小さくて安価な製品であるため、利用可能なフィルタタイプはセラミック製の表面弾性波（ＳＡＷ）及びフィルムバルク音響共振器（ＦＢＡＲ）に限定される。従来の20MHz未満の帯域幅を有するセラミックベースのフィルタは実用的なものではなく、ＳＡＷ又はＦＢＡＲベースの従来のフィルタは不可能である。ＳＡＷ又はＦＢＡＲベースのバンドパスフィルタに関する問題は、共振器がフィルタネットワーク内に組み込まれた際に、各共振器がそれ以外の共振器に負荷を加えることにある。共振器の共振周波数が近すぎると、フィルタ挿入損失が大幅に増えてフィルタが使用不能となる。この現象を図１に示す。同図は、帯域幅が狭くなると挿入損失が増大することを示している。
【発明の開示】
【発明が解決しようとする課題】
【０００５】
これら事象に鑑みると、所望の周波数帯域（ＩＳＭ2.4帯域等）の狭帯域幅で信号をバンドパスフィルタリングするための狭帯域幅バンドパスフィルタネットワーク及び方法が必要である。
【課題を解決するための手段】
【０００６】
信号をバンドパスフィルタリングするためのバンドパスフィルタネットワーク及び方法は複数の音響共振器を使用する。該音響共振器は、フィルムバルク音響共振器（ＦＢＡＲ）又は表面弾性波（ＳＡＷ）共振器とすることが可能である。該音響共振器は、１つ又は２つ以上の電気的な構成要素（例えば１つの増幅器の複数のトランジスタ）により分離されて、該複数の音響共振器間の隔離が提供される。該電気的な構成要素により提供される隔離は、複数の音響共振器が互いに負荷を加えることを防止し、その結果として挿入損失が大幅に低減される。
【０００７】
本発明の一実施形態によるバンドパスフィルタネットワークは、入力信号を受信するための入力ノード、出力信号を送信するための出力ノード、前記入力ノードに接続された第１の音響共振器、前記出力ノードに接続された第２の音響共振器、及び前記第１及び第２の音響共振器間に配置された電気的な構成要素を含む。該電気的な構成要素は、前記第１及び第２の音響共振器間の隔離を提供する。
【０００８】
本発明のもう１つの実施形態によるバンドパスフィルタネットワークは、入力信号を受信するための入力ノード、出力信号を送信するための出力ノード、前記入力ノードから前記出力ノードへの信号経路に接続された複数の音響共振器、及び前記入力ノード及び前記出力ノードに接続された増幅器を含む。該増幅器は、前記複数の音響共振器間に配置されて該複数の音響共振器間の隔離を提供する少なくとも１つの電気的な構成要素を含む。
【０００９】
本発明の一実施形態による信号をバンドパスフィルタリングするための方法は、信号を受信し、該信号を第１及び第２の音響共振器に提供し、該信号を前記第１及び第２の音響共振器間に配置された電気的な構成要素を介して送信する、という各ステップを含む。該電気的な構成要素は、前記第１及び第２の音響共振器間の隔離を提供するものである。
【００１０】
本発明の他の特徴及び利点は、本発明の原理を例示する図面に関連して行う以下の詳細な説明から容易に明らかとうなろう。
【発明を実施するための最良の形態】
【００１１】
図２を参照すると、本発明の一実施形態による狭帯域幅バンドパスフィルタネットワーク10が示されている。該バンドパスフィルタネットワーク10の構成は、音響共振器12,14、16,18（表面弾性波（ＳＡＷ）共振器及びフィルムバルク音響共振器（ＦＢＡＲ）等）を使用して、無線周波数帯域（工業的、科学的、及び医療的な（ＩＳＭ）帯域等）における極めて狭い帯域幅の動作を達成することを可能にするものである。該バンドパスフィルタネットワーク10の音響共振器12,14,16,18は、増幅器（例えば、無線通信装置のフロントエンド増幅器）の電気的な構成要素20,22,24,26間に分散される。該増幅器の構成要素20,22,24,26は、音響共振器12,14,16,18の隔離を提供して、該音響共振器が互いに負荷を加えるのを防止し、これにより挿入損失が低減される。
【００１２】
この実施形態では、バンドパスフィルタネットワーク10は、ＩＳＭ帯域（例えばＩＳＭ2.4帯域）内の極めて狭い帯域幅内で信号を選択的に増幅するために使用される。しかし、このタイプのバンドパスフィルタネットワーク10は、他の帯域で信号を増幅するために使用することが可能なものである。図２に示すように、バンドパスフィルタネットワーク10は、入力ノード28、音響共振器12,14,16,18、増幅器構成要素20,22,24,26、及び出力ノード30を含む。該増幅器構成要素20,22,24,26は、入力ノード28から出力ノード30への信号経路32上で該入力ノード28と該出力ノード30との間に配置される。該増幅器構成要素20,22,24,26は、能動的な電気構成要素、例えばトランジスタである。音響共振器12は、入力ノード28と増幅器構成要素20との間で信号経路32上に配置される。このため、音響共振器12は、直列音響共振器として前記入力ノード28及び前記増幅器構成要素20に接続される。同様に、音響共振器16は、増幅器構成要素22,24間で信号経路32上に配置される。音響共振器14は、増幅器構成要素20,22間のノード34で信号経路32に接続される。音響共振器14は、電気的な接地にも接続される。このため、音響共振器14は分路音響共振器として接続される。同様に、音響共振器18は、増幅器構成要素24,26間のノード36で信号経路32に接続され、及び接地に接続される。代替的な実施形態では、音響共振器12は、音響共振器14,18と同様に分路音響共振器として接続される。別の代替的な実施形態では、音響共振器14は、音響共振器12,16と同様に直列音響共振器として接続される。音響共振器12,14,16,18は好適には、ＦＢＡＲ又はＳＡＷ共振器である。しかし、音響共振器12,14,16,18は、他のタイプの音響共振器とすることが可能である。
【００１３】
バンドパスフィルタネットワーク10の音響共振器12,14,16,18は、入力ノード28から出力ノード30への信号経路32上を送信された信号をバンドパスフィルタリングするよう動作する。すなわち、音響共振器12,14,16,18は、特定の周波数帯域の所定の周波数範囲内の信号のみを選択的に許容するよう動作する。一例として、音響共振器12,14,16,18は、ＩＳＭ2.4帯域の20MHz未満の周波数範囲内の信号のみを選択的に許容するよう動作することが可能である。音響共振器12,14,16,18はまた、入力ノード28に接続された第１の装置と出力ノード30に接続された第２の装置との間のインピーダンス整合を提供するよう動作する。バンドパスフィルタネットワーク10を使用して信号を受信する場合には、前記第１の装置をアンテナとし、前記第２の装置を受信信号処理回路とすることが可能である。バンドパスフィルタネットワーク10を使用して信号を送信する場合には、前記第１の装置を送信信号処理回路とし、前記第２の装置をアンテナとすることが可能である。バンドパスフィルタネットワーク10の増幅器構成要素20,22,24,26は、信号経路32上で送信された信号を増幅させるよう動作する。その結果として、出力ノード30における信号は、増幅されバンドパスフィルタリングされた信号となる。
【００１４】
ここで図３を参照すると、本発明の一実施形態による狭帯域幅バンドパスフィルタネットワーク40が示されている。この実施形態では、バンドパスフィルタネットワーク40は、極めて狭い帯域幅（例えばＩＳＭ帯域（ＩＳＭ2.4帯域等）の10MHz未満）の信号を受信するために使用される。しかし、このタイプのバンドパスフィルタネットワーク40は、異なる周波数帯域の他の帯域幅の信号を受信するために使用することが可能である。この実施形態では、バンドパスフィルタネットワーク40は、ＦＢＡＲ及びＣＭＯＳ（Complementary Metal Oxide Semiconductor）技術を用いる。しかし、別の実施形態では異なる技術を用いることが可能である。例えば、ＦＢＡＲ及びＣＭＯＳ技術の代わりに、バンドパスフィルタネットワーク40は、ＳＡＷ及びバイポーラ技術を用いることが可能である。
【００１５】
図３に示すように、バンドパスフィルタネットワーク40は、アンテナ42、増幅器44、ＦＢＡＲ46,48,50,52、及び受信信号処理回路54を含む。前記アンテナ42は入力ノード56に接続され、前記受信信号処理回路54は出力ノード58に接続される。前記増幅器44及びＦＢＡＲ46,48,50,52は、前記入力ノード56と前記出力ノード58との間に接続され、該ＦＢＡＲが前記増幅器の構成要素間で分散され、これによりＦＢＡＲ間の隔離が提供されるようになっている。この実施形態では、ＦＢＡＲ46,48,50,52は、構造的に同一のものである。しかし、別の実施形態では、ＦＢＡＲ46,48,50,52を構造的に異なるものとすることが可能である。
【００１６】
増幅器44は、第１の増幅ステージ60及び第２の増幅ステージ62を含む。第１の増幅ステージ60は、電流源64、ＮＭＯＳ(N-channel Metal Oxide Semiconductor)トランジスタ66,68、及びコンデンサ70を含む。電流源64は電源電圧端子72に接続される。該電流源64は、１つ又は２つ以上のＰＭＯＳ(P-channel Metal Oxide Semiconductor)トランジスタ（図示せず）を使用することが可能である。ＮＭＯＳトランジスタ66,68は、カスコード構成で電流源64と電気的接地との間に直列に接続される。ＮＭＯＳトランジスタ66のドレインは、電流源64に接続され、ＮＭＯＳトランジスタ66のソースはＮＭＯＳトランジスタ68のドレインに接続される。ＮＭＯＳトランジスタ66のゲートは、接地されたコンデンサ70に接続される。ＮＭＯＳトランジスタ68のソースは接地される。ＮＭＯＳトランジスタ68のゲートはＦＢＡＲ46に接続され、該ＦＢＡＲ46は直列ＦＢＡＲとして入力ノード56に接続される。ＦＢＡＲ48は、ＮＭＯＳトランジスタ66,68間のノード74に分路ＦＢＡＲとして接続される。このため、ＦＢＡＲ48は接地にも接続される。
【００１７】
第１の増幅ステージ60と同様に、第２の増幅ステージ62もまた、電流源76、ＮＭＯＳトランジスタ78,80、及びコンデンサ82を含む。電流源76は、電源電圧端子72に接続される。該電流源76は、１つ又は２つ以上のＰＭＯＳトランジスタを使用することも可能である。ＮＭＯＳトランジスタ78,80は、カスコード構成で電流源76と電気的接地との間に直列に接続される。ＮＭＯＳトランジスタ78のドレインは電流源76に接続され、ＮＭＯＳトランジスタ78のソースはＮＭＯＳトランジスタ80のドレインに接続される。ＮＭＯＳトランジスタ78のゲートは、接地されたコンデンサ82に接続される。ＮＭＯＳトランジスタ80のソースは接地される。ＮＭＯＳトランジスタ80のゲートはＦＢＡＲ50に接続され、該ＦＢＡＲ50は、電流源64とＮＭＯＳトランジスタ66との間のノード84で直列ＦＢＡＲとして第１の増幅ステージ60に接続される。ＦＢＡＲ52は、ＮＭＯＳトランジスタ78,80間のノード86と接地とに接続される。このため、ＦＢＡＲ52は分路音響共振器として接続される。。出力ノード58は、電流源76とＮＭＯＳトランジスタ78との間のノード88に接続される。
【００１８】
図３に示すように、バンドパスフィルタネットワーク40のＦＢＡＲ46,48,50,52の各々は、増幅器44の構成要素によって分離されている。ＦＢＡＲ46,48はＮＭＯＳトランジスタ68により分離されている。同様に、ＦＢＡＲ48,50はＮＭＯＳトランジスタ66により分離され、ＦＢＡＲ50,52はＮＭＯＳトランジスタ80により分離されている。このため、増幅器44のＮＭＯＳトランジスタ66,68,80は、ＦＢＡＲ46,48,50,52間の隔離を提供して、それらＦＢＡＲが互いに負荷を加えないようになっている。その結果として、周波数に対する挿入特性を示す図４のグラフに示すように、ＦＢＡＲ用いた従来のバンドパスフィルタネットワークを用いた受信器と比較した場合に、受信器の感度が大幅に高くなる。
【００１９】
代替的な実施形態では、バンドパスフィルタネットワーク40のＦＢＡＲ46は、直列ＦＢＡＲではなく分路ＦＢＡＲとして接続される。ＦＢＡＲ50もまた分路ＦＢＡＲとして接続することが可能である。しかし、これは好ましくない。直列ＦＢＡＲ50はＤＣ遮断を提供するからである。
【００２０】
動作時に、信号はアンテナ42により受信される。該受信された信号は、必要な信号並びに不要な信号を含む。該受信された信号がＦＢＡＲ46,48,50,52に提供され、該ＦＢＡＲにより所定の周波数範囲内の信号のみが受信信号処理回路54へ伝わることが許容される。この周波数範囲外の信号は、ＦＢＡＲ46,48,50,52により減衰され又は遮断される。一方、信号がアンテナ42から受信信号処理回路54へ選択的に送られる際に、該信号が増幅器44により増幅される。こうして、必要な信号が受信信号処理回路へ送られて処理される。
【００２１】
図５を参照すると、本発明の一実施形態による狭帯域幅バンドパスフィルタネットワーク100の別の実施形態が示されている。図５のバンドパスフィルタネットワーク100は、図３のバンドパスフィルタネットワークに類似したものである。このため、図３と同一の符号が、図５における同様の要素を示すために使用されている。この実施形態では、バンドパスフィルタネットワーク100は、極めて狭い帯域幅（例えばＩＳＭ帯域（ＩＳＭ2.4帯域等）の10MHz未満）の信号を送信するために使用される。このため、バンドパスフィルタネットワーク100は、入力ノード56に接続された送信信号処理回路102と、出力ノード58に接続されたアンテナ104とを含む。送信信号処理回路102は、送信すべき信号を生成する。これらの信号が、次いでＦＢＡＲ46,48,50,52によりバンドパスフィルタリングされ、及び増幅器44により増幅された後、アンテナ104へ送られる。ＦＢＡＲ46は、直列ＦＢＡＲとして接続されたものとして示されているが、代替的な実施形態では、ＦＢＡＲ46を分路ＦＢＡＲとして接続することが可能である。
【００２２】
本発明の一実施形態による信号のバンドパスフィルタリング方法を図６のフローチャートを参照して説明する。ブロック602で信号を受信する。該受信した信号は必要な信号と不要な信号とを含む。次に、ブロック604で、該信号が第１及び第２の音響共振器に提供される。該第１及び第２の音響共振器は、ＦＢＡＲ及び／又はＳＡＷ共振器とすることが可能である。次に、ブロック606で、該信号が、前記第１及び第２の音響共振器間に配置された電気的な構成要素を介して送信される。該電気的な構成要素は、該第１及び第２の音響共振器間の隔離を提供する。該電気的な構成要素は、増幅器のトランジスタ（例えばＮＭＯＳトランジスタ）とすることが可能である。その結果として、信号がバンドパスフィルタリングされ、また増幅されることが可能である。
【００２３】
本発明の特定の実施形態について説明し図示したが、本発明はかかる説明し図示した構成要素の特定の形態又は配置に限定されるものではない。本発明の範囲は、特許請求の範囲、又はそれと等価なものによって規定されるべきである。
【００２４】
以下においては、本発明の種々の構成要件の組み合わせからなる例示的な実施形態を示す。
１．バンドパスフィルタネットワークであって、
入力信号を受信するための入力ノードと、
出力信号を送信するための出力ノードと、
前記入力ノードに接続された第１の音響共振器と、
前記出力ノードに接続された第２の音響共振器と、
前記第１及び第２の音響共振器間に配置されて、該第１及び第２の音響共振器間の隔離を提供する、電気的な構成要素と
を含む、バンドパスフィルタネットワーク。
２．前記第１及び第２の音響共振器の少なくとも一方が、フィルムバルク音響共振器（ＦＢＡＲ）及び表面弾性波（ＳＡＷ）共振器の一方である、前項１に記載のネットワーク。
３．前記電気的な構成要素が、増幅器の構成要素である、前項１に記載のネットワーク。
４．前記電気的な構成要素が、増幅器のトランジスタである、前項３に記載のネットワーク。
５．前記電気的な構成要素が、ＭＯＳ（Metal Oxide Semiconductor）トランジスタである、前項４に記載のネットワーク。
６．前記第１及び第２の音響共振器の少なくとも一方が、信号経路に対して直列音響共振器として接続される、前項１に記載のネットワーク。
７．前記第１及び第２の音響共振器の少なくとも一方が、分路音響共振器として接続される、前項１に記載のネットワーク。
８．アンテナが前記入力ノード及び前記出力ノードの一方に接続され、受信信号処理回路及び送信信号処理回路の一方が前記入力ノード及び前記出力ノードの一方に接続される、前項１に記載のネットワーク。
９．バンドパスフィルタネットワークであって、
入力信号を受信するための入力ノードと、
出力信号を送信するための出力ノードと、
前記入力ノードから前記出力ノードへの信号経路に接続された複数の音響共振器と、
前記入力ノード及び前記出力ノードに接続された増幅器であって、前記複数の音響共振器間に配置されて該複数の音響共振器間の隔離を提供する少なくとも１つの電気的な構成要素を含む、増幅器と
を含む、バンドパスフィルタネットワーク。
10．前記複数の音響共振器の少なくとも一つが、フィルムバルク音響共振器（ＦＢＡＲ）及び表面弾性波（ＳＡＷ）共振器の一方である、前項９に記載のネットワーク。
11．前記電気的な構成要素が、トランジスタである、前項10に記載のネットワーク。
12．前記電気的な構成要素が、ＭＯＳトランジスタである、前項11に記載のネットワーク。
13．前記複数の音響共振器の少なくとも一つが、信号経路に対して直列音響共振器として接続される、前項９に記載のネットワーク。
14．前記複数の音響共振器の少なくとも一つが、分路音響共振器として接続される、前項９に記載のネットワーク。
15．前記増幅器が、複数のカスコードトランジスタを含む増幅ステージを含み、前記電気的な構成要素が、該複数のカスコードトランジスタのうちの１つである、前項９に記載のネットワーク。
16．前記増幅器が、第２の複数のカスコードトランジスタを含む第２の増幅ステージを更に含み、前記複数の音響共振器のうちの１つが、前記増幅器の前記第１の増幅ステージと前記第２の増幅ステージとの間に配置される、前項15に記載のネットワーク。
17．アンテナが前記入力ノード及び前記出力ノードの一方に接続され、受信信号処理回路及び送信信号処理回路の一方が前記入力ノード及び前記出力ノードの一方に接続される、前項９に記載のネットワーク。
18．信号をバンドパスフィルタリングするための方法であって、
信号を受信し、
該信号を第１及び第２の音響共振器に提供し、
前記第１及び第２の音響共振器間に配置されて該第１及び第２の音響共振器間の隔離を提供する電気的な構成要素を介して前記信号を送信する、
という各ステップを含む、信号をバンドパスフィルタリングするための方法。
19．第１及び第２の音響共振器に信号を提供する前記ステップが、第１及び第２のフィルムバルク音響共振器（ＦＢＡＲ）に信号を提供するステップを含む、前項18に記載の方法。
20．電気的な構成要素を介して信号を送信する前記ステップが、増幅器のトランジスタを介して信号を送信するステップを含む、前項18に記載の方法。
【図面の簡単な説明】
【００２５】
【図１】フィルムバルク音響共振器（ＦＢＡＲ）ベースの従来のバンドパスフィルタを用いた帯域幅と挿入損失との関係を示すグラフである。
【図２】本発明の一実施形態による狭帯域幅バンドパスフィルタネットワークを示す回路図である。
【図３】本発明の一実施形態によるバンドパスフィルタネットワークの一実施形態を示す回路図である。
【図４】図３のバンドパスフィルタネットワークに関する帯域幅と挿入損失とを示すグラフである。
【図５】本発明の一実施形態によるバンドパスフィルタネットワークのもう１つの実施形態を示す回路図である。
【図６】本発明の一実施形態による信号のバンドパスフィルタリング方法を示すフローチャートである。
【符号の説明】
【００２６】
28;56                入力ノード
30;58                出力ノード
12,14,16;46,48,50    第１の音響共振器
14,16,18;48,50,52    第２の音響共振器
20,22,24;66,68,80    電気的な構成要素
【図１】
2006345533.tif 000003
【図２】
2006345533.tif 000004
【図３】
2006345533.tif 000005
【図４】
2006345533.tif 000006
【図５】
2006345533.tif 000007
【図６】
2006345533.tif 000008